(57)【要約】【課題】  可及的に廉価であり、また被覆線の配設位置の周囲状況に拘らず、容易に選定操作を実施することができる送信器、及び被覆線選定用装置を提供する。【解決手段】  送信器１は環状のシールド部２を備えている。シールド部２は、導電製の部材を、内周側が解放されるように断面視がＵ字状に成形した半円状の２片をヒンジ部にて開閉自在に連結してある。シールド部２の内底部であって、ヒンジ部近傍の適宜位置には針状の放電電極３０が立設してある。また、シールド部２の外周面であって、放電電極３０の取り付け位置と同じ位置には、電源部を収納させた収納部３が垂設してあり、該収納部３内の電源部によって生成されたパルス状の電圧が前記放電電極３０に印加されるようになっている。【選択図】  図３
2010028952.tif 000002
【特許請求の範囲】
【請求項１】
導電線を被覆層で被覆してなる被覆線に取り付けられ、前記導電線に通流する誘導電流を検出する変流器、及び該変流器の検出結果を出力する出力器を具備する受信器を備え、複数の被覆線から所要の被覆線を選定するための被覆線選定用装置に用いられ、取り付けられた被覆線の導電線に誘導電流を生起させる送信器において、
前記導電線に電界を与えて誘導電流を生起させる電極部と、圧電素子及び該圧電素子に外圧を印加する外圧印加手段を設けてなり、外圧印加手段が印加した外圧によって圧電素子が生成した電圧を前記電極部に印加する電源部とを備えることを特徴とする送信器。
【請求項２】
前記被覆線に外嵌され、電極部から出力される電界が当該被覆線の周囲へ拡散することを防止する環状の遮蔽部材を設けてなる請求項１記載の送信器。
【請求項３】
前記遮蔽部材と前記電源部とが一体的に設けてある請求項２記載の送信器。
【請求項４】
前記外圧印加手段は、前記圧電素子に衝突する１又は複数のヘッド部と、該ヘッド部を駆動する駆動部と、前記ヘッド部が適宜の周期で前記圧電素子に衝突するように駆動部の動作を制御する制御部とを具備する請求項１から３のいずれかに記載の送信器。
【請求項５】
導電線を被覆層で被覆してなる被覆線に取り付けられ、導電線に誘導電流を生起させる送信器と、取り付けられた被覆線の導電線に通流する誘導電流を検出する変流器、及び該変流器の検出結果を出力する出力器を具備する受信器とを備え、複数の被覆線から所要の被覆線を選定するための被覆線選定用装置において、
請求項１から４のいずれかに記載の送信器を備えることを特徴とする被覆線選定用装置。
【発明の詳細な説明】
【技術分野】
【０００１】
本発明は、導電線を被覆層で被覆してなる被覆線が複数条混在する場合に、所要の被覆線を選定するための被覆線選定用装置に用いられ、前記導電線に誘導電流を生起させる送信器、並びに該送信器及び導電線に通流する誘導電流を検出する受信器を備える被覆線選定用装置に関する。
【背景技術】
【０００２】
光ファイバーを樹脂層で被覆した心線を複数条集合させるとともに、張力を維持するための導電製条材たるテンションメンバを挿入し、これら心線及びテンションメンバを保護層及びシース等で被覆してなる光ファイバーケーブルを用いてなる光ファイバーケーブル網が構築されている。
【０００３】
かかる光ファイバーケーブル網を構築拡張する場合、適宜の線路に配設された複数条の光ファイバーケーブルから所要の光ファイバーケーブルを分岐させる必要があるが、その際、複数条の光ファイバーケーブルから分岐対象の光ファイバーケーブルを選定する操作を、光ファイバーケーブルを疵つけることなく、正確に行うことが重要である。
そのため、後記する特許文献１には次のような装置が開示されている。
【０００４】
すなわち、複数条の電線が配設されている線路において、分岐対象であると識別されている電線の基端側に第１変流器を取り付ける。第１変流器から離隔する位置には、１００ｋＨｚ以上の成分を有する単極性の高周波単発パルス電流を繰り返し出力する発振器が設置してあり、これら発振器及び第１変流器によって送信器が構成されている。
【０００５】
そして、前記発振器から第１変流器に前記高周波単発パルス電流を与えることによって、第１変流器を取り付けた電線に同極性の電流を磁気誘導させる。このとき、第１変流器が取り付けられていない他の電線にも誘導電流が生じるが、当該電流の極性は前記送信器から出力された電流の極性とは逆であり、また、その大きさも第１変流器を取り付けた電線に誘導された電流の大きさの数分の一である。
【０００６】
被覆線選定用装置には、電線に通流する誘導電流を検出する第２変流器及び該第２変流器に通流する電流を表示するオシロスコープが設けてあり、該オシロスコープ及び第２変流器によって受信器が構成されている。
そして、第２変流器を各電線の先端側の適宜位置に順次取り付けていく一方、第２変流器に接続したオシロスコープに、当該第２変流器に通流する誘導電流を表示させる。
【０００７】
作業員は、オシロスコープに表示された各電流の立ち上がりの極性及び／又は各電流大きさをそれぞれ比較し、その電流の極性が前記発振器から出力された電流の極性と同じである場合、及び／又は検出した電流の大きさが他の検出電流の大きさより大きい場合、当該電流が検出された電線が分岐対象の電線であると選定していた。
【特許文献１】特開２０００−４１３１６号公報
【発明の開示】
【発明が解決しようとする課題】
【０００８】
しかしながら、このような従来の被覆線選定用装置にあっては、高価な変流器を２台用いなければならないのに加え、誘導電流の検出精度を高くするために高出力の発振器も配設しなければならないため、装置コストが嵩むという問題があった。また、送信器は第１変流器と該第１変流器から離隔した位置に配置した発振器とから構成されているため、各電線への取り付け位置の周囲状況によっては、第１変流器と発振器との接続に支障が生じる虞があり、また、送信器の携帯が不便であった。
【０００９】
本発明は、斯かる事情に鑑みてなされたものであって、可及的に廉価であり、また被覆線の配設位置の周囲状況に拘らず、容易に選定操作を実施することができる送信器、及び該送信器を備える被覆線選定用装置を提供する。
【課題を解決するための手段】
【００１０】
（１）本発明に係る送信器は、導電線を被覆層で被覆してなる被覆線に取り付けられ、前記導電線に通流する誘導電流を検出する変流器、及び該変流器の検出結果を出力する出力器を具備する受信器を備え、複数の被覆線から所要の被覆線を選定するための被覆線選定用装置に用いられ、取り付けられた被覆線の導電線に誘導電流を生起させる送信器において、前記導電線に電界を与えて誘導電流を生起させる電極部と、圧電素子及び該圧電素子に外圧を印加する外圧印加手段を設けてなり、外圧印加手段が印加した外圧によって圧電素子が生成した電圧を前記電極部に印加する電源部とを備えることを特徴とする。
【００１１】
本発明の送信器にあっては、複数の被覆線から所要の被覆線を選定する被覆線選定用装置に用いられ、取り付けられた被覆線の導電線に誘導電流を生起させるに当たって、前記導電線に電界を与えて誘導電流を生起させる電極部を備えている。また、送信器には、圧電素子及び該圧電素子に外圧を印加する外圧印加手段を設けてなる電源部を具備しており、外圧印加手段が印加した外圧によって圧電素子が生成した電圧を前記電極部に印加することによって、当該送信器が取り付けられた被覆線の導電線に誘導電流を生起させる。
【００１２】
このように圧電素子及び外圧印加手段を設けてなる電源部から電極部に所要の電圧を印加するようになしてあるため、電源部を廉価に構成することができる。また、高価な変流器を用いることなく、前記電源部から電極部に電圧を印加し、当該電極部から出力された電界にて被覆線の導電線に誘導電流を生起させるようになしてあるため、送信器を可及的に廉価にすることができる。
【００１３】
一方、圧電素子及び外圧印加手段を設けてなる電源部はコンパクト化することが容易であり、従って、被覆線への配設位置の周囲状況に拘らず、容易に選定操作を実施することができる。
【００１４】
（２）また、本発明に係る送信器は必要に応じて、前記被覆線に外嵌され、電極部から出力される電界が当該被覆線の周囲へ拡散することを防止する遮蔽部材を設けてなることを特徴とする。
本発明の送信器にあっては、被覆線に外嵌される遮蔽部材によって、電極部から出力される電界が当該被覆線の周囲へ拡散することを防止するようになしてあるため、複数条の被覆線が混在する場合に、送信器を取り付けた以外の他の被覆線にあっては誘導電流が殆ど生起しない。従って、電源部の出力を過大にせずとも、送信器が取り付けられた被覆線に生起される誘導電流の大きさと、他の被覆線に生起される誘導電流の大きさとを容易に識別することができるので、電源部に要する部品コストを可及的に低減することができる。
【００１５】
（３）更に、本発明に係る送信器は必要に応じて、前記遮蔽部材と前記電源部とが一体的に設けてあることを特徴とする。
本発明の送信器にあっては、前述した遮蔽部材と電源部とが一体的に設けてあるので、装置コストを更に低減することができる。また、これによって一体的な送信器を構成することができるため、被覆線への取り付け位置の周囲状況に拘らず、選定操作を実行することができ、また、送信器の携帯が容易である。
【００１６】
（４）また、本発明に係る送信器は必要に応じて、前記外圧印加手段は、前記圧電素子に衝突する１又は複数のヘッド部と、該ヘッド部を駆動する駆動部と、前記ヘッド部が適宜の周期で前記圧電素子に衝突するように駆動部の動作を制御する制御部とを具備することを特徴とする。
【００１７】
本発明の送信器にあっては、前述した外圧印加手段は、圧電素子に衝突する１又は複数のヘッド部と、このヘッド部を駆動する駆動部とを備える。そして、制御部によって、ヘッド部が適宜の周期で圧電素子に衝突するように駆動部の動作を制御する。
【００１８】
これによって、簡単な構成で電極部に電圧を周期的に印加することができ、送信器か取り付けられた被覆線の導電線に誘導電流を周期的に生起させることができる。被覆線の導電線に誘導電流を周期的に生起させた場合、当該作業員は受信器を操作することができるため、選定操作を一人の作業員で行うことができる。
このように被覆線の導電線に誘導電流を周期的に生起させる場合であっても、送信器の構成を簡単にすることができるため、装置コストを可及的に廉価にすることができる。
【００１９】
（５）本発明に係る被覆線選定用装置は、導電線を被覆層で被覆してなる被覆線に取り付けられ、導電線に誘導電流を生起させる送信器と、取り付けられた被覆線の導電線に通流する誘導電流を検出する変流器、及び該変流器の検出結果を出力する出力器を具備する受信器とを備え、複数の被覆線から所要の被覆線を選定するための被覆線選定用装置において、前述したいずれかに記載の送信器を備えることを特徴とする。
本発明の被覆線選定用装置にあっては、前述したいずれかに記載の送信器を備えるため、前同様の作用・効果を奏する。
【発明を実施するための最良の形態】
【００２０】
（本発明の実施形態）
図１は、本発明に係る被覆線選定用装置の実施様態を示す模式図であり、図中、Ｋは、光ファイバーを樹脂層で被覆した心線を複数条集合させるとともに、張力を維持するテンションメンバたる導電線を挿入し、これら心線及び導電線を保護層及びシース等で被覆してなる光ファイバーケーブル（被覆線）である。
【００２１】
目的線路に、数十ｍから数百ｍの長さ寸法を有する複数条（図１にあっては３条）の光ファイバーケーブルＫ，Ｋ，Ｋが配設されている。各光ファイバーケーブルＫ，Ｋ，Ｋはそれらの基端側においては相互に識別されているが、各光ファイバーケーブルＫ，Ｋ，Ｋの先端側は相互に識別されていない。
【００２２】
対象となる光ファイバーケーブルＫの基端側の適宜位置に、後述する分割型の送信器１が着脱可能に外嵌してあり、該送信器１は放電にて形成される電界によって当該光ファイバーケーブルＫ内の導電線に誘導電流を生じさせるようになしてある。
【００２３】
一方、各光ファイバーケーブルＫ，Ｋ，Ｋの内の任意の光ファイバーケーブルＫの先端側の適宜位置に、コイルを内蔵する分割型の変流器６が着脱可能に外嵌してあり、変流器６は当該光ファイバーケーブルＫ内の導電線を通流する電流を前記コイルによって間接的に検出し、検出電流をオシロスコープといった表示器７へ出力するようになっている。
これら変流器６及び表示器７によって受信器５が構成されており、変流器６から検出電流が入力されると、表示器７は当該検出電流の大きさ及びその波形を表示するようになっている。
【００２４】
図２は、図１に示した送信器１の模式的正面図であり、図３は、図２に示した送信器１のＩＩＩ−ＩＩＩ線による一部省略断面図である。
図２及び図３に示した如く、送信器１は、取り付けられた被覆線以外の被覆線へ電界が漏出することを可及的に防止する環状のシールド部２を備えている。シールド部２は、導電製の部材を、内周側が解放されるように断面視がＵ字状に成形した半円状の２片をヒンジ部２１にて開閉自在に連結してなり、ヒンジ部２１の対向位置に両片をロックするロック部２２が設けてある。
【００２５】
そして、ロック部２２を解除した後、ヒンジ部２１を介してシールド部２の両片を開動させ、当該両片によって図１に示した如き光ファイバーケーブルＫを挟持し、その状態でロック部２２にて両片をロックすることによってシールド部２を光ファイバーケーブルＫに外嵌させ、これと逆の操作を行うことによって光ファイバーケーブルＫに外嵌させたシールド部２を取り外すことができるようになっている。
【００２６】
シールド部２の内底部であって、前記ヒンジ部２１近傍の適宜位置には針状の放電電極３０が立設してある。また、シールド部２の外周面であって、前記放電電極３０の取り付け位置と同じ位置には、後述する電源部を収納させた収納部３が垂設してあり、該収納部３内の電源部によって生成されたパルス状の電圧が前記放電電極３０に印加されるようになっている。
【００２７】
また、収納部３には押下されている間のみパルス状の電圧を出力させるための第１ボタン３１、及び適宜周期で連続的にパルス状の電圧を出力させるための第２ボタン３２が設けてあり、状況に応じてパルス状の電圧の出力態様を選択し得るようになっている。
【００２８】
図４は前述した電源部の一例を示す模式図である。
図４に示したように、電源部４には、加えられた外圧によって適宜周波数の電圧を出力する１又は複数（図４にあっては４つ）の圧電素子４０，４０，４０，４０が配置してあり、各圧電素子４０，４０，４０，４０から出力された電圧はそれぞれ前述した放電電極３０に与えられるようになっている。なお、圧電素子４０は必要に応じて複数層貼り合わせたものを用いることができる。これによって、圧電素子４０の出力を大きくすることができる。
【００２９】
各圧電素子４０，４０，４０，４０に対向する位置にはそれぞれ、当該圧電素子４０，４０，４０，４０に外圧を加えるべく、ハンマーといったヘッド部４１，４１，４１，４１が駆動可能に配設してあり、各ヘッド部４１，４１，４１，４１はモータといった動力部４４からの駆動力を伝達する動力伝達機構４３によって支持されている。これら動力部４４及び動力伝達機構４３によって駆動部が構成されている。
【００３０】
前記動力伝達機構４３はギア、バネ及び／又はカム等を組み合わせて構成してあり、各ヘッド部４１，４１，４１，４１を相互に異なるタイミングで対向する圧電素子４０，４０，４０，４０に衝突させるようになっている。これによって、放電電極３０には、例えば、０．５秒程度から２秒程度までの間の適宜な時間周期で電圧が印加される。
一方、前記動力部４４の動作は制御部４５によって制御されるようになっており、動力部４４及び制御部４５には内蔵するバッテリ４６から所要の電力が給電される。
【００３１】
前述した第１ボタン３１又は第２ボタン３２が押下されると、第１ボタン３１又は第２ボタン３２は制御部４５に対応する信号を与えるようになっている。そして、制御部４５は、第１ボタン３１から信号が与えられた場合、いずれかのヘッド部４１，４１，４１，４１又は各ヘッド部４１，４１，４１，４１が所定回数だけ駆動されるように動力部４４を制御する、一方、制御部４５は、第２ボタン３２から信号が与えられた場合、当該第２ボタン３２から再び信号が与えられるまで動力部４４を作動させ、第２ボタン３２から再び信号が与えられたとき、動力部４４の動作を停止させる。
このように、比較的廉価な圧電素子４０を用い、簡単な構成で所要の電圧を放電電極３０に印加することができるため、電源部４の製造コストを低減することができる。
【００３２】
なお、本実施の形態にあっては、複数の圧電素子４０を設けた場合について説明したが、本発明はこれに限らず、一の圧電素子に１又は複数のヘッド部を所定周期で衝突させるようにしてもよい。
【００３３】
また、本実施の形態にあっては、バッテリ４６、制御部４５及び動力部４４を用いてヘッド部４１，４１，４１，４１を圧電素子４０，４０，４０，４０に衝突させるようになしてあるが、本発明はこれに限らず、ヘッド部４１を圧電素子４０に手動で衝突させるようになしてもよい。これによって、バッテリ４６、制御部４５及び動力部４４、並びに第１ボタン３１及び第２ボタン３２が不要となり、送信器の製造に要するコストを更に低減することができる。
【００３４】
次に、このような被覆線選定用装置を用いて対象とする被覆線を選定する方法について、被覆線の選定手順のフローチャートを示す図５及び前述した図１を用いて説明する。
【００３５】
前述したように、各光ファイバーケーブルＫ，Ｋ，Ｋはそれらの基端側においては相互に識別されており、作業員は、図１に示したように、選択すべき対象の光ファイバーケーブルＫの基端に送信器１を外嵌させる（ステップＳ１）。
【００３６】
そして、作用員は、送信器１に設けられた第２ボタン３２（図２参照）を押下して電源部４から放電電極３０（共に図４参照）へ所定周期で高電圧パルスを印加させ、当該放電電極３０からの放電によって送信器１を取り付けた光ファイバーケーブルＫに高周波のパルス状の誘導電流を所定周期で生起させる（ステップＳ２）。
【００３７】
このとき、図３に示した如く、放電電極３０はシールド部２によってその周囲を遮蔽されているため、放電電極３０からの放電によって送信器１を取り付けた光ファイバーケーブルＫ以外の他の光ファイバーケーブルＫ，Ｋに電流が誘導されることが可及的に防止される。更に、他の光ファイバーケーブルＫ，Ｋについてはシールド部２から漏出した電界が影響するが、シールド部２から漏出される電界の極性は放電電極から放出される電界の極性とは逆になるため、他の光ファイバーケーブルＫ，Ｋに電流が誘導された場合であってもその極性は、送信器１を取り付けた光ファイバーケーブルＫに誘導された電流の極性とは逆である。
【００３８】
次に、作業員は、各光ファイバーケーブルＫ，Ｋ，Ｋの相互に識別されていない先端側において、任意の光ファイバーケーブルＫを選択し、当該光ファイバーケーブルＫの適宜位置に変流器６を外嵌させる（ステップＳ３）。
そして、表示器７によって波形が表示されると（ステップＳ４）、作業員は表示された波形を観察し、その大きさ及び／又は極性を求める（ステップＳ５）。
【００３９】
次に、作業員は、全ての光ファイバーケーブルＫ，Ｋ，Ｋに変流器６を取り付けたか否かを判断し（ステップＳ６）、そうでないと判断した場合、ステップＳ３へ戻り、未だ取り付けていない任意の光ファイバーケーブルＫを選択して前述したステップＳ３からステップＳ５までの操作を実行する。
そして、ステップＳ６で全ての光ファイバーケーブルＫ，Ｋ，Ｋに変流器６を取り付けたと判断するまで、ステップＳ３からステップＳ６までの操作を繰り返す。
【００４０】
ステップＳ６で全ての光ファイバーケーブルＫ，Ｋ，Ｋに変流器６を取り付けたと判断した場合、各光ファイバーケーブルＫ，Ｋ，Ｋについてそれぞれ求めた誘導電流の大きさ及び／又は極性を比較し（ステップＳ７）、最も大きな値であった場合、及び／又は他と異なる極性を示していた場合、当該結果に係る光ファイバーケーブルＫが対象であると決定する（ステップＳ８）。
【００４１】
ところで、このように第２ボタン３２を押下して放電電極３０から高電圧パルスを所定周期で連続的に出力させた場合、上述した各ステップを一人で実行することができるので好適である。
ただし、作業員が複数人存在する場合、第１ボタン３１（図２参照）を用いて次のようにして対象被覆線を選定することができる。
【００４２】
すなわち、予め各作業員間において携帯電話器又はトランシーバ等の通信器を用いて相互に通信可能になしておく。一の作業員が前記ステップＳ１を実施する一方、他の作業員がステップＳ３を実施した後、前記ステップＳ２における操作に代え、通信器を用いて一の作業員に第１ボタン３１を押下させて、高周波のパルス状の電流を誘導させ（ステップＳ２−１）、他の作業員は前記ステップＳ５に示したように表示器７に表示された波形を観察し、その大きさ及び／又は極性を求める。
【００４３】
次に、他の作業員は、前記ステップＳ６に示したように、全ての光ファイバーケーブルＫ，Ｋ，Ｋに変流器６を取り付けたか否かを判断し、そうでないと判断した場合、未だ取り付けていない任意の光ファイバーケーブルＫを選択して、前同様の操作を実行する。
【００４４】
そして、他の作業員は、全ての光ファイバーケーブルＫ，Ｋ，Ｋに変流器６を取り付けたと判断するまで前同様の操作を実施した後、前記ステップＳ７及びステップＳ８に示したように、各光ファイバーケーブルＫ，Ｋ，Ｋについてそれぞれ求めた誘導電流の大きさ及び／又は極性を比較し、最も大きな値であった場合、及び／又は他と異なる極性を示していた場合、当該結果に係る光ファイバーケーブルＫが対象であると決定する。
【００４５】
このように、複数の作業員で選定操作を実施する場合、回分的にパルス状の電圧を出力させるための第１ボタン３１を用いて、対象とする光ファイバーケーブルＫを選定することができる。
【００４６】
従って、複数の作業員で選定操作を実施する場合にあっては、前述した如きヘッド部４１を圧電素子４０に手動で衝突させるように構成したより廉価な送信器も用いることができるので好適である。
【００４７】
なお、本実施の形態にあっては、変流器６が検出した電流の波形を表示器７に表示させ、該表示器７に表示された電流の大きさ及び／又は極性から作業者が選定対象の被覆線であるか否かを判断するようにしたが、本発明はかかる出力器に限らず、選定対象の被覆線であるか否かの判定結果を出力する判定器を出力器として用いるようにしてもよい。
【００４８】
すなわち、判定器は、変流器６から与えられた電流の値と予め定めた基準値とをコンパレータによって比較し、基準値以上であった場合に信号を出力する比較回路、及び／又は送信器１によって誘導される電流の極性に応じて予め定めた極性の電流であった場合に信号出力する判定回路を備え、比較回路及び／又は判定回路から信号が出力されたとき、ランプ及び／又はブザーを出力させる構成になす。
【００４９】
これによって、前述した表示器７を用いる場合に比べて、被覆線選定用装置をより廉価になすことができる一方、前述したステップＳ５、ステップＳ７及びステップＳ８を省くことができるため、作業効率が向上する。
【００５０】
なお、本実施の形態にあっては、複数の光ファイバーケーブルから所要の光ファイバーケーブルを選定するのに適用した場合について示したが、本発明はこれに限らず、電力を給送する送電線、双方向へ信号を伝送する伝送線等、導電線を被覆してなる他の被覆線に適用し得ることはいうまでもない。
【図面の簡単な説明】
【００５１】
【図１】本発明に係る被覆線選定用装置の実施様態を示す模式図である。
【図２】図１に示した送信器の模式的正面図である。
【図３】図２に示した送信器のＩＩＩ−ＩＩＩ線による一部省略断面図である。
【図４】電源部の一例を示す模式図である。
【図５】被覆線の選定手順を示すフローチャートである。
【符号の説明】
【００５２】
１    送信器
２    シールド部
３    収納部
４    電源部
５    受信部
６    変流器
７    表示器
３０    放電電極
３１    第１ボタン
３２    第２ボタン
４０    圧電素子
４１    ヘッド部
Ｋ    光ファイバーケーブル（被覆線）
【図１】
2010028952.tif 000003
【図２】
2010028952.tif 000004
【図３】
2010028952.tif 000005
【図４】
2010028952.tif 000006
【図５】
2010028952.tif 000007